(57)【要約】【課題】特定の他のユーザとの送信メールまたは受信メールの少なくとも一方をまとめた一覧画面を作成することができるようにする。【解決手段】本発明に係る情報処理装置に適用可能なカメラ付ディジタル携帯電話機においては、ステップＳ１乃至Ｓ１８において、主制御部は、変復調回路部などを制御し、送信メールを他のカメラ付ディジタル携帯電話機に送信し、他のカメラ付ディジタル携帯電話機から受信メールを受信し、送信された複数の送信メールと受信された複数の受信メールの中から、特定の他のユーザについての送信メールまたは受信メールの少なくとも一方を抽出し、抽出された特定の他のユーザについての送信メールまたは受信メールの少なくとも一方を用いて、特定の他のユーザについての送信メールまたは受信メールの少なくとも一方をまとめた一覧画面を作成し、液晶ディスプレイを制御し、作成された一覧画面を表示させる。【選択図】  図４
2008065699.tif 000002
【特許請求の範囲】
【請求項１】
少なくとも１つ以上の他の情報処理装置との間でメールの送受信を行う情報処理装置において、
送信メールを前記他の情報処理装置に送信する送信手段と、
前記他の情報処理装置から受信メールを受信する受信手段と、
前記送信手段により送信された複数の送信メールと、前記受信手段により受信された複数の受信メールの中から、特定の他のユーザについての送信メールまたは受信メールの少なくとも一方を抽出する抽出手段と、
前記抽出手段により抽出された前記特定の他のユーザについての送信メールまたは受信メールの少なくとも一方を用いて、前記特定の他のユーザについての送信メールまたは受信メールの少なくとも一方をまとめた一覧画面を作成する作成手段と、
前記作成手段により作成された前記一覧画面を表示する表示手段とを備えることを特徴とする情報処理装置。
【請求項２】
複数の他のユーザの中から、前記特定の他のユーザの選択を受け付ける選択受付手段をさらに備え、
前記抽出手段は、前記選択受付手段により選択が受け付けられた前記特定の他のユーザに関する識別情報に基づいて、前記送信手段により送信された複数の送信メールと、前記受信手段により受信された複数の受信メールの中から、前記特定の他のユーザについての送信メールまたは受信メールの少なくとも一方を抽出することを特徴とする請求項１に記載の情報処理装置。
【請求項３】
前記表示手段は、前記一覧画面とともに、メールを作成するためのメール作成画面をさらに表示することを特徴とする請求項１に記載の情報処理装置。
【請求項４】
前記表示手段により前記一覧画面が表示された後、前記他の情報処理装置との間で新たな送受信が行われた場合、一覧画面作成処理が再び実行され、前記表示手段は、前記一覧画面作成処理の実行により更新された一覧画面を表示することを特徴とする請求項１に記載の情報処理装置。
【請求項５】
前記表示手段により表示された前記一覧画面を記憶する記憶手段をさらに備えることを特徴とする請求項１に記載の情報処理装置。
【発明の詳細な説明】
【技術分野】
【０００１】
本発明は情報処理装置に係り、特に、メールを送受信することができるようにした情報処理装置に関する。
【背景技術】
【０００２】
近年、情報処理装置としての携帯電話機には、単なる通話による通信機能だけでなく、アドレス帳機能、基地局やインターネットなどのネットワークを介したメール機能や、Ｗｅｂページなどを閲覧することが可能なブラウザ機能などの種々の機能が搭載されるようになってきている。
【０００３】
特に、２人のユーザが所有する携帯電話機間でメール機能を用いてチャットを行うことが可能な技術が知られている（例えば、特許文献１参照）。
【０００４】
特許文献１に提案されている技術によれば、送信メールと受信メールをその送受信のタイミングの順に並べてチャット画面に表示し、さらに、チャット画面上において送信メールの先頭に自分のアイコンを表示するとともに、受信メールの先頭に相手のアイコンを表示することができる。これにより、チャット時における送信メールと受信メールとを見分けやすくすることができる。
【特許文献１】特開２００３−１１１１４５号公報
【発明の開示】
【発明が解決しようとする課題】
【０００５】
一般に、携帯電話機を用いたメールの送受信においては、短文によるやり取りが大半であり、ユーザは、短文のメールの送受信によるやり取りを他のユーザと複数回にわたり繰り返し行うことで、他のユーザとの意思疎通を図る。そのため、携帯電話機を用いたメールの使用形態は、チャットの形態と類似しており、チャット的な使用形態と呼ぶこともできる。
【０００６】
ところが、携帯電話機においては、受信メールと送信メールが別のボックス（送信メールボックスと送信メールボックス）にそれぞれ格納され、特定の他のユーザとの間でやり取りされた送信メールと受信メールごとに格納されないため、特定の他のユーザとのメールのやり取りを一望することはできないという課題があった。
【０００７】
勿論、ユーザが適宜、特定の他のユーザとの間でやり取りされた送信メールと受信メールごとにフォルダに振り分けて格納することも可能ではあるが、そもそも、携帯電話機においてはメール１件単位での表示と管理しかできないことから、たとえフォルダに振り分けて格納したとしても、特定の他のユーザとのメールのやり取りを一望することためには、遡って１件１件のメールを開いて確認しなければならず、このような操作はユーザにとって大変煩わしいという課題があった。
【０００８】
このような課題は、特許文献１に提案されている技術では解決することはできない。
【０００９】
本発明は、このような状況に鑑みてなされてものであり、特定の他のユーザとの送信メールまたは受信メールの少なくとも一方をまとめた一覧画面を作成することができる情報処理装置を提供することを目的とする。
【課題を解決するための手段】
【００１０】
本発明の情報処理装置は、上述した課題を解決するために、送信メールを他の情報処理装置に送信する送信手段と、他の情報処理装置から受信メールを受信する受信手段と、送信手段により送信された複数の送信メールと、受信手段により受信された複数の受信メールの中から、特定の他のユーザについての送信メールまたは受信メールの少なくとも一方を抽出する抽出手段と、抽出手段により抽出された特定の他のユーザについての送信メールまたは受信メールの少なくとも一方を用いて、特定の他のユーザについての送信メールまたは受信メールの少なくとも一方をまとめた一覧画面を作成する作成手段と、作成手段により作成された一覧画面を表示する表示手段とを備えることを特徴とする。
【００１１】
本発明の情報処理装置においては、送信メールが他の情報処理装置に送信され、他の情報処理装置から受信メールが受信され、送信された複数の送信メールと受信された複数の受信メールの中から、特定の他のユーザについての送信メールまたは受信メールの少なくとも一方が抽出され、抽出された特定の他のユーザについての送信メールまたは受信メールの少なくとも一方を用いて、特定の他のユーザについての送信メールまたは受信メールの少なくとも一方をまとめた一覧画面が作成され、作成された一覧画面が表示される。
【発明の効果】
【００１２】
本発明によれば、特定の他のユーザとの送信メールまたは受信メールの少なくとも一方をまとめた一覧画面を作成することができる。
【発明を実施するための最良の形態】
【００１３】
以下、本発明の実施の形態について、図面を参照しながら説明する。
【００１４】
図１は、本発明に係る情報処理装置として適用可能なカメラ付ディジタル携帯電話機１の外観の構成を表している。なお、図１［Ａ］は、カメラ付ディジタル携帯電話機１を約１８０度に見開いたときの正面から見た外観の構成を表しており、図１［Ｂ］は、カメラ付ディジタル携帯電話機１を見開いたときの側面から見た外観の構成を表している。
【００１５】
図１［Ａ］および［Ｂ］に示されるように、カメラ付ディジタル携帯電話機１は、中央のヒンジ部１１を境に第１の筐体１２と第２の筐体１３とがヒンジ結合されており、ヒンジ部１１を介して矢印Ｘ方向に折り畳み可能に形成される。カメラ付ディジタル携帯電話機１の内部の所定の位置には、送受信用のアンテナ（後述する図３のアンテナ４４）が設けられており、内蔵されたアンテナを介して基地局（図示せず）との間で電波を送受信する。
【００１６】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１７】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１８】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１９】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Ｙｅｓ」や「Ｎｏ」などの種々の機能をもつことが可能であるため、それぞれ、soft１キーおよびsoft２キーと呼ばれる。
【００２０】
また、第１の筐体１２には、操作キー１４の下部にマイクロフォン１５が設けられており、マイクロフォン１５によって通話時のユーザの音声を集音する。また、第１の筐体１２には、カメラ付ディジタル携帯電話機１の操作を行うサイドキー１６が設けられている。
【００２１】
なお、第１の筐体１２は、背面側に図示しないバッテリパックが挿着されており、終話・電源キーがオン状態になると、バッテリパックから各回路部に対して電力が供給されて動作可能な状態に起動する。
【００２２】
ところで、第１の筐体１２には、第１の筐体１２の下部の所定の位置に抜差自在なメモリカード（後述する図３のメモリカード４６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００２３】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００２４】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００２５】
従って、カメラ付ディジタル携帯電話機１は、このようなメモリカードを挿着可能に構成されているために、メモリカードを介して他の電子機器との間でデータの共有化を図ることができる。
【００２６】
また、所定の機能を拡張するためのモジュール（チップ）をメモリカードに組み込み、メモリカードスロット（図示せず）にそれを装着させることにより、カメラ付ディジタル携帯電話機１の機能をさらに拡張させることができる。
【００２７】
例えば、非接触ＩＣ（Integrated Circuit）チップが組み込まれたメモリカードをカメラ付ディジタル携帯電話機１に装着することにより、非接触ＩＣチップがカメラ付ディジタル携帯電話機１に内蔵されていない場合であっても、非接触ＩＣチップが内蔵された場合と同様の電子決済機能などを有するように機能を拡張させることもできる。
【００２８】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図２のメモリカード４６）に記憶されているコンテンツを表示することができる。また、液晶ディスプレイ１７の上部の所定の位置にはスピーカ１８が設けられており、これにより、ユーザは音声通話することが可能である。
【００２９】
また、第１の筐体１２と第２の筐体１３の内部の所定の位置には、カメラ付ディジタル携帯電話機１の状態を検知するための磁気センサ１９a、１９b、１９c、および１９dが設けられる。
【００３０】
図２は、本発明に係る情報処理装置として適用可能なカメラ付ディジタル携帯電話機１の他の外観の構成を表している。図２のカメラ付ディジタル携帯電話機１の状態は、図１のカメラ付ディジタル携帯電話機１の状態から矢印Ｘ方向に回動させた状態である。なお、図２［Ａ］は、カメラ付ディジタル携帯電話機１を閉じたときの正面から見た外観の構成を表しており、図２［Ｂ］は、カメラ付ディジタル携帯電話機１を閉じたときの側面から見た外観の構成を表している。
【００３１】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、カメラ付ディジタル携帯電話機１の現在の電池残量を示す電池ピクト、現在の時刻などが表示される。
【００３２】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３３】
図３は、本発明に係る情報処理装置として適用可能なカメラ付ディジタル携帯電話機１の内部の構成を表している。
【００３４】
図３に示されるように、カメラ付ディジタル携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、および音楽制御部４８がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３５】
電源回路部３２は、ユーザの操作により終話・電源キーがオン状態にされると、バッテリパックから各部に対して電力を供給することによりカメラ付ディジタル携帯電話機１を動作可能な状態に起動する。
【００３６】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することによりカメラ付ディジタル携帯電話機１を統括的に制御する。ＲＡＭは、ＣＰＵが各種の処理を実行する上において必要なデータなどを適宜記憶する。
【００３７】
なお、主制御部３１には、現在の日付と時刻を正確に計測するタイマが内蔵されている。
【００３８】
ここで、ＣＰＵが実行する種々のアプリケーションプログラムは、ＲＯＭや記憶部４７に予めインストールしておくことができる。また、ＣＰＵが実行する種々のアプリケーションプログラムは、図示せぬ基地局を介して通信によってカメラ付ディジタル携帯電話機１にダウンロードすることにより、記憶部４７にインストールすることができる。さらに、ＣＰＵが実行する種々のアプリケーションプログラムは、メモリカード４６に記録しておき、記録再生部４５によって読み出して、記憶部４７にインストールすることも可能である。
【００３９】
カメラ付ディジタル携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４０】
また、カメラ付ディジタル携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４１】
さらに、カメラ付ディジタル携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００４２】
これに対してカメラ付ディジタル携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００４３】
その後カメラ付ディジタル携帯電話機１は、ユーザの操作に応じて受信した電子メールを記録再生部４５を介してメモリカード４６に記録することも可能である。
【００４４】
カメラ付ディジタル携帯電話機１は、画像信号を送信しない場合には、ＣＣＤカメラ２０で撮像した画像信号をカメラインタフェース部４５及びＬＣＤ制御部４６を介して液晶ディスプレイ１７に直接表示する。
【００４５】
カメラ付ディジタル携帯電話機１は、データ通信モード時に画像信号を送信する場合、ＣＣＤカメラ２０で撮像された画像信号をカメラインタフェース部３５を介して画像エンコーダ３４に供給する。
【００４６】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時にカメラ付ディジタル携帯電話機１は、ＣＣＤカメラ２０で撮像中にマイクロフォン１５で集音した音声を音声コーデック４０を介してディジタルの音声信号として多重分離部３８に送出する。
【００４７】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４８】
これに対して、カメラ付ディジタル携帯電話機１では、データ通信モード時に、Ｗｅｂページのデータを受信することができる。
【００４９】
すなわち、カメラ付ディジタル携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００５０】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５１】
また、カメラ付ディジタル携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００５２】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５３】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様にカメラ付ディジタル携帯電話機１は、受信したＷｅｂページなどにリンクされたデータをユーザの操作により記録再生部４５を介してメモリカード４６に記録することが可能である。
【００５４】
記憶部４７は、例えば、電気的に書換えや消去が可能な不揮発性メモリであるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５５】
音楽制御部４８は、記憶部４７に記憶されているオーディオデータの再生動作および一時停止動作や、巻戻し機能、早送り機能、音量ダウン動作、音量アップ動作などの実行を制御する。
【００５６】
次に、図４のフローチャートを参照して、図３のカメラ付ディジタル携帯電話機１における一覧画面表示処理について説明する。この一覧画面表示処理は、ユーザにより操作キー１４が操作されることで一覧画面表示処理を開始するとの指示がなされることにより開始される。
【００５７】
ステップＳ１において、主制御部３１は、操作入力制御部３３を介して、ユーザにより操作キー１４が操作されることで一覧画面表示処理を開始するとの指示がなされたか否かを判定し、一覧画面表示処理を開始するとの指示がなされたと判定するまで待機する。
【００５８】
ステップＳ１において一覧画面表示処理を開始するとの指示がなされたと判定された場合、主制御部３１はステップＳ２で、操作入力制御部３３を介して、ユーザにより操作キー１４が操作されることにより、特定の他のユーザ（他のユーザのうちのいずれか）との送受信メールを時系列的にまとめた一覧画面を作成する相手の選択が受け付けられたか否かを判定する。
【００５９】
例えば、ユーザにより操作キー１４が操作されることにより、一覧画面を作成する相手が他のユーザのうちＡさんであると入力されると、特定の他のユーザ（他のユーザのうちのいずれか）との送受信メールを時系列的にまとめた一覧画面を作成する相手としてＡさんの選択が受け付けられたと判定される。
【００６０】
ステップＳ２において特定の他のユーザ（他のユーザのうちのいずれか）との送受信メールを時系列的にまとめた一覧画面を作成する相手の選択が受け付けられたと判定された場合、主制御部３１はステップＳ３で、ユーザにより選択が受け付けられた一覧画面を作成する相手（例えばＡさんなど）に関する識別情報（例えば、メールアドレスなど）に基づいて、これまでに送受信されて送信メールボックスおよび受信メールボックスに格納された複数のメールの中から、ユーザにより選択が受け付けられた一覧画面を作成する相手（例えばＡさん）についての送信メールと受信メールを抽出する。
【００６１】
これにより、例えばユーザとＡさんとの間でメールの送受信がすでに繰り返し行われた場合に、これまでに送受信されて送信メールボックスおよび受信メールボックスに格納された複数のメールの中から、例えばＡさんが「あて先」となっていてユーザからＡさんに送信された送信メールと、Ａさんから受信された受信メールのみを抽出することができる。勿論、ステップＳ３とステップＳ４において特定の他のユーザのメールを選択して一覧画面を作成する場合、受信メールだけの一覧または送信メールだけの一覧だけを抽出して一覧画面を作成してもよい。
【００６２】
ステップＳ４において、主制御部３１は、抽出された特定の他のユーザについての送信メールと受信メールを用いて、特定の他のユーザ（他のユーザのうちのいずれか）との送受信メールを時系列的にまとめた一覧画面を作成する。
【００６３】
ステップＳ５において、主制御部３１は、ＬＣＤ制御部３６を制御し、作成された特定の他のユーザ（他のユーザのうちのいずれか）との送受信メールを時系列的にまとめた一覧画面を液晶ディスプレイ１７に表示させる。液晶ディスプレイ１７は、ＬＣＤ制御部３６の制御に従い、作成された特定の他のユーザ（他のユーザのうちのいずれか）との送受信メールを時系列的にまとめた一覧画面を表示する。
【００６４】
例えば図５［Ａ］に示されるように、例えばユーザとＡさんとの間でメールの送受信をすでに繰り返し行った場合に、複数のメールの中から抽出された特定の他のユーザについての送信メールと受信メールを用いて、特定の他のユーザ（他のユーザのうちのいずれか）との送受信メールを時系列的にまとめた一覧画面５１が作成されて表示される。
【００６５】
図５［Ａ］の一覧画面５１の場合、「♂」がユーザを示しており、「♀」が例えばＡさんを示している。メールのやり取りとして第１行目から順に「こんにちは。何してる？」、「いま仕事中」、「じゃまた今度ね」…などが時系列的に表示される。
【００６６】
これにより、ユーザは、Ａさんとの間でこれまでにどのようなやり取りを行ったかを一望することができ、たとえ一連のメールのやり取りが半年間の長い期間に断続的に行われたとしても、瞬時に過去のやり取りの内容を思い出すことができる。
【００６７】
ステップＳ６において、主制御部３１は、操作入力制御部３３を介して、ユーザにより操作キー１４が操作されることによりメールを作成するとの指示がなされたか否かを判定する。
【００６８】
ステップＳ６においてユーザにより操作キー１４が操作されることによりメールを作成するとの指示がなされたと判定された場合、主制御部３１はステップＳ７で、ＬＣＤ制御部３６を制御し、作成された特定の他のユーザ（他のユーザのうちのいずれか）との送受信メールを時系列的にまとめた一覧画面と同時に、メールを作成するためのメール作成画面を表示する。
【００６９】
例えば図５［Ｂ］に示されるように、作成された特定の他のユーザ（例えばＡさん）との送受信メールを時系列的にまとめた一覧画面５１の下に、メールを作成するためのメール作成画面５２と、ユーザが文字を入力することでメールを作成する際に文字入力を予測して支援するための入力予測画面５３が同時に表示される。
【００７０】
ステップＳ８において、主制御部３１は、操作入力制御部３３を介して、ユーザにより操作キー１４が操作されることにより文字の入力が受け付けて、送信する送信メールを作成する。例えば図５［Ｂ］の場合、メール作成画面５２上に「六本木でパーティーがあるのだけれど…」という文字の入力が受け付けられて、送信する送信メールとして「六本木でパーティーがあるのだけれど…」が作成される。
【００７１】
ステップＳ９において、主制御部３１は、変復調回路部３９、送受信回路部４３、およびアンテナ４４、さらに基地局（図示せず）を介して、新たな受信メールを例えば他のカメラ付ディジタル携帯電話機１から受信したか否かを判定する。
【００７２】
ステップＳ９において新たな受信メールを例えば他のカメラ付ディジタル携帯電話機１から受信したと判定された場合、主制御部３１はステップＳ１０で、ユーザにより選択が受け付けられた一覧画面を作成する相手（例えばＡさんなど）に関する識別情報（例えば、メールアドレスなど）に基づいて、新たに受信された受信メールから、ユーザにより選択が受け付けられた一覧画面を作成する相手（例えばＡさん）についての受信メールを抽出する。
【００７３】
ステップＳ１１において、主制御部３１は、新たに受信された受信メールから、ユーザにより選択が受け付けられた一覧画面を作成する特定の他のユーザ（例えばＡさん）についての受信メールが抽出されたか否かを判定する。
【００７４】
ステップＳ１１において新たに受信された受信メールから、ユーザにより選択が受け付けられた一覧画面を作成する特定の他のユーザ（例えばＡさん）についての受信メールが抽出されたと判定された場合、主制御部３１はステップＳ１２で、抽出された特定の他のユーザについての新たな受信メールを用いて、特定の他のユーザ（他のユーザのうちのいずれか）との送受信メールを時系列的にまとめた一覧画面を新たに作成する。
【００７５】
ステップＳ１３において、主制御部３１は、ＬＣＤ制御部３６を制御し、特定の他のユーザ（他のユーザのうちのいずれか）との送受信メールを時系列的にまとめた一覧画面を更新して液晶ディスプレイ１７に表示させる。液晶ディスクプレイ１７は、ＬＣＤ制御部３６の制御に従い、特定の他のユーザ（他のユーザのうちのいずれか）との送受信メールを時系列的にまとめた一覧画面を更新して表示する。
【００７６】
例えば図５［Ｃ］に示されるように、特定の他のユーザ（例えばＡさん）からの新たな受信メールである「あぅ、暇じゃないや。」が追加されて一覧画面５１が更新されて表示される。これにより、ユーザは、一覧画面５１を作成している特定の他のユーザ（例えばＡさん）から、新たな受信メールがあったことを瞬時に、かつ、容易に知ることができるとともに、受信された新たな受信メールの内容を反映させて、これから特定の他のユーザ（例えばＡさん）に送信する送信メールを作成することができる。
【００７７】
なお、追加された新たな受信メールは、新たに受信されたことを示すためにハイライト表示されたり、フォーカス表示されたりする。これにより、ユーザは、新たな受信メールがあったことをより瞬時に、かつ、より容易に知ることができる。
【００７８】
ステップＳ１１において新たに受信された受信メールから、ユーザにより選択が受け付けられた一覧画面を作成する特定の他のユーザ（例えばＡさん）についての受信メールが抽出されていいないと判定された場合、ステップＳ１２乃至Ｓ１３の処理はスキップされ、その後、処理はステップＳ１４に進む。
【００７９】
ステップＳ９において新たな受信メールを例えば他のカメラ付ディジタル携帯電話機１から受信していないと判定された場合、ステップＳ１０乃至Ｓ１３の処理はスキップされ、その後、ステップＳ１４に進む。
【００８０】
ステップＳ１４において、主制御部３１は、操作入力制御部３３を介して、ユーザにより操作キー１４が操作されることにより、作成された送信メールを送信するとの指示がなされたか否かを判定する。ステップＳ１４において作成された送信メールを送信するとの指示がなされていないと判定された場合、処理はステップＳ８に戻り、ステップＳ８以降の処理が実行される。すなわち、ユーザにより作成された送信メールを送信するとの指示がなされるまで、これまでに受け付けられた文字の入力がキャンセルされるとともに、新たな文字の入力が受け付けられ、所望の送信メールが作成される。
【００８１】
例えば図５［Ｃ］に示されるように、新たに受信された受信メールである「あぅ、暇じゃないや。」の内容に応じて、ユーザは、送信するメールの内容を「六本木でパーティーがあるのだけれど…」から「それじゃ…」に変更し、所望の送信メールを作成することができる。
【００８２】
ステップＳ１４において作成された送信メールを送信するとの指示がなされたと判定された場合、主制御部３１はステップＳ１５で、変復調回路部３９などを制御し、変復調回路部３９、送受信回路部４３、およびアンテナ４４、さらに基地局（図示せず）を介して、作成された送信メールを特定の他のユーザ（例えばＡさん）（特定の他のユーザ（例えばＡさん）が所有するカメラ付ディジタル携帯電話機１など）に送信する。
【００８３】
ステップＳ１６において、主制御部３１は、抽出された特定の他のユーザへの新たな送信メールを用いて、特定の他のユーザ（他のユーザのうちのいずれか）との送受信メールを時系列的にまとめた一覧画面を新たに作成する。
【００８４】
ステップＳ１７において、主制御部３１は、ＬＣＤ制御部３６を制御し、特定の他のユーザ（他のユーザのうちのいずれか）との送受信メールを時系列的にまとめた一覧画面を更新して液晶ディスプレイ１７に表示させる。液晶ディスクプレイ１７は、ＬＣＤ制御部３６の制御に従い、特定の他のユーザ（他のユーザのうちのいずれか）との送受信メールを時系列的にまとめた一覧画面を更新して表示する。
【００８５】
例えば図５［Ｄ］に示されるように、特定の他のユーザ（例えばＡさん）への新たな送信メールである「それじゃ、また今度ね。」が追加されて一覧画面５１が更新されて表示される。なお、追加された新たな送信メールは、新たに送信されたことを示すためにハイライト表示されたり、フォーカス表示されたりする。これにより、ユーザは、新たに送信メールが特定の他のユーザ（例えばＡさん）に送信されたことをより瞬時に、かつ、より容易に知ることができる。
【００８６】
一方、ステップＳ６においてユーザにより操作キー１４が操作されることによりメールを作成するとの指示がなされていないと判定された場合、処理はステップＳ１８に進む。
【００８７】
ステップＳ１８において、主制御部３１は、操作入力制御部３３を介して、ユーザにより操作キー１４が操作されることにより、一覧画面表示処理を終了するとの指示がなされたか否かを判定する。
【００８８】
ステップＳ１８においてユーザにより操作キー１４が操作されることにより一覧画面表示処理を終了するとの指示がなされていないと判定された場合、処理はステップＳ６に戻り、ステップＳ６以降の処理が繰り返される。これにより、ユーザにより操作キー１４が操作されることにより一覧画面表示処理を終了するとの指示がなされるまで、一覧画面を表示しつつ、ユーザと特定の他のユーザ（例えばＡさん）との間のメールの送受信を実行することができる。従って、ユーザは、逐次更新される一覧画面を見ながら、次に送信する送信メールを作成することができるとともに、特定の他のユーザ（例えばＡさん）との間でチャット的にメールの送受信を行うことができる。
【００８９】
本発明の実施形態においては、ユーザにより選択が受け付けられた一覧画面を作成する相手（例えばＡさんなど）に関する識別情報（例えば、メールアドレスなど）に基づいて、これまでに送受信されて送信メールボックスおよび受信メールボックスに格納された複数のメールの中から、ユーザにより選択が受け付けられた一覧画面を作成する相手（例えばＡさん）についての送信メールと受信メールを抽出し、抽出された特定の他のユーザについての送信メールと受信メールを用いて、特定の他のユーザ（例えばＡさん）との送信メールまたは受信メールの少なくとも一方を時系列的にまとめた一覧画面を作成・表示することができる。これにより、ユーザは、Ａさんとの間でこれまでにどのようなやり取りを行ったかを一望することができ、たとえ一連のメールのやり取りが半年間の長い期間に断続的に行われたとしても、瞬時に過去のやり取りの内容を思い出すことができる。また、ユーザは、一覧画面を見ながら、特定の他のユーザ（例えばＡさん）に新たに送信する送信メールを作成することができる。
【００９０】
従って、メール機能を用いる場合において、カメラ付ディジタル携帯電話機１における操作性と利便性を向上させることができる。
【００９１】
なお、作成された一覧画面をログとして記憶させるようにしてもよい。これにより、これまでの送受信メールの履歴だけをユーザが見たい場合に、再び抽出処理と一覧画面作成処理を実行することなく、簡単にすでに作成された一覧画面を見ることができる。以下、この方法を用いた一覧画面表示処理について説明する。
【００９２】
図６のフローチャートを参照して、図３のカメラ付ディジタル携帯電話機１における他の一覧画面表示処理について説明する。なお、図６のステップＳ２１乃至Ｓ３７、およびステップＳ３９の処理は、図４のステップＳ１乃至Ｓ１８の処理と同様であり、その説明は繰り返しになるので省略する。
【００９３】
ステップＳ３８において、主制御部３１は、更新された一覧画面を記憶部４７に記憶させる。記憶部４７は、主制御部３１の制御に従い、更新された一覧画面を記憶する。これにより、ユーザによる一連の操作により更新された特定の他のユーザ（例えばＡさんなど）についての一覧画面を記憶することができる。従って、これまでの送受信メールの履歴だけをユーザが見たい場合に、再び図６のステップＳ２３とステップＳ２４などにおける抽出処理と一覧画面作成処理を実行することなく、簡単にすでに作成された一覧画面を見ることができる。その結果、メール機能を用いる場合において、カメラ付ディジタル携帯電話機１における操作性と利便性をより向上させることができる。
【００９４】
なお、通常、記憶部４７の送信メールボックスと受信メールボックスに格納されている送信メールと受信メールが一杯になってしまった場合に、記憶部４７に記憶されている一覧画面以外の送信メールと受信メールを削除し、一覧画面のみでこれまでの送受信メールのやり取りの履歴を保存するようにしてもよい。これにより、ユーザが所望する送信メールまたは受信メールの少なくとも一方を一括して保存・管理することができる。従って、メール機能を用いる場合において、カメラ付ディジタル携帯電話機１における操作性と利便性をより向上させることができる。
【００９５】
また、液晶ディスプレイ１７に表示される一覧画面上にカーソルなどを重畳して表示させ、ユーザにより所望の送受信メール上においてクリックされると（押下されると）、その送受信メールを開くようにしてもよい。勿論、それに伴い、添付ファイルや引用文を表示するようにしてもよい。
【００９６】
さらに、本発明の実施形態においては、ユーザと１人の特定の他のユーザとの間におけるメールの送受信メールを行う場合に適用するようにしたが、このような場合に限られず、３人以上の間でメールの送受信を行う場合についても適用することができる。この場合、一覧画面は、３人以上の間で送受信メールに関して作成されて表示される。
【００９７】
なお、本発明の実施形態においては、作成される一覧画面において時系列的に送受信メールを配置するようにしたが、このような場合に限られず、時系列的にランダムに配置するようにしてもよいし、データの大きさごとに配置するようにしてもよい。
【００９８】
なお、本発明は、カメラ付ディジタル携帯電話機１以外にも、ＰＤＡ（Personal Digital Assistant）、パーソナルコンピュータ、その他の情報処理装置にも適用することができる。
【００９９】
また、本発明の実施形態において説明した一連の処理は、ソフトウェアにより実行させることもできるが、ハードウェアにより実行させることもできる。
【０１００】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１０１】
【図１】本発明に係る情報処理装置に適用可能なカメラ付ディジタル携帯電話機の外観の構成を示す外観図。
【図２】本発明に係る情報処理装置に適用可能なカメラ付ディジタル携帯電話機の他の外観の構成を示す外観図。
【図３】本発明に係る情報処理装置に適用可能なカメラ付ディジタル携帯電話機の内部の構成を示すブロック図。
【図４】図３のカメラ付ディジタル携帯電話機における一覧画面表示処理を説明するフローチャート。
【図５】図３の液晶ディスプレイに表示される一覧画面の表示例を示す図。
【図６】図３のカメラ付ディジタル携帯電話機における他の一覧画面表示処理を説明するフローチャート。
【符号の説明】
【０１０２】
１…情報処理装置、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部。
【図１】
2008065699.tif 000003
【図２】
2008065699.tif 000004
【図３】
2008065699.tif 000005
【図４】
2008065699.tif 000006
【図５】
2008065699.tif 000007
【図６】
2008065699.tif 000008